(57)【要約】      （修正有）【課題】シュレッダーは稼働モードにおいて、シュレッダーをただちに停止させ、損害の軽減を図る一種のシュレッダーの提供。【解決手段】一種のシュレッダー非常停止スイッチであり、シュレッダー上蓋所定の溝に取り付けて、上蓋から露出し、操作モードの切り換えに備える。正回転紙仕込み、停止、及び逆回転紙吐き出し合計三つのスイッチモード位置を設定できる。圧迫素子はスイッチに取り付け、シュレッダー上蓋から露出して、モードきり替えの制御部を構成する。スイッチモード位置の固定部は、シュレッダー上蓋底面前記の固定部の向かい合う位置に設ける。固定部に合わせてスイッチモードを決める固定台を併せて設ける。蓄積されエネルギーにより、前記のスイッチを正回転紙仕込みモード又は逆回転紙吐き出しモードを停止モードに移動する復位部材より構成する。【選択図】図１
0003130995.tif 000002
【実用新案登録請求の範囲】
【請求項１】
シュレッダー上蓋に開けた溝孔に設け、上蓋表面に露出し切り換えに備える一種のシュレッダー非常停止スイッチにおいて、以下の構成要素より構成する、
スイッチ、正回転紙仕込み、停止、及び逆回転紙吐き出し三つのモードを設ける、
圧迫素子、スイッチに取り付ける、シュレッダー上蓋に露出し、スイッチ位置切り換えるための制御部、及びスイッチ位置を固定する固定部を有する、
固定台、シュレッダー上蓋底面前記の固定部の向かい合う位置に設け、固定部と併せてスイッチの位置を固定する、
復位部材、蓄積されたエネルギーを放出し、前記のスイッチを正回転紙仕込み又は逆回転紙吐き出し位置から停止位置に移動させる、
スイッチを正回転の紙仕込みモード、又は逆回転の紙吐き出しモードいずれの位置に置き、圧迫素子はシュレッダー上蓋に露出した制御部の圧下により下方に移動し、圧迫素子の固定部は固定台との常時締結位置を離れて、復位部材によりスイッチを停止モードの位置に戻すことを特徴とするシュレッダー非常停止スイッチ。
【請求項２】
該スイッチの正面に固定塊を露出して設ける、ばねにより圧迫素子底部に備える固定孔に装入し、スイッチの切り換え位置と圧迫素子を同期することを特徴とする請求項１記載のシュレッダー非常停止スイッチ。
【請求項３】
該圧迫素子の制御部は圧迫素子正面に露出したトグルスイッチを用いることを特徴とする請求項１記載のシュレッダー非常停止スイッチ。
【請求項４】
該圧迫素子の固定部は両側から外部へ同時に延ばすばね板とばね板に設ける戻り止めキーより構成することを特徴とする請求項１記載のシュレッダー非常停止スイッチ。
【請求項５】
固定台は略したＭ字型を形成し、中央平面区域から平面の両側に傾斜率が次第に増加する傾斜面区域と傾斜面の突き当たり場所より逆方向に折り返して壁面区域を形成することを特徴とする請求項１記載のシュレッダー非常停止スイッチ。
【請求項６】
該復位部材は圧迫素子に対して、常時に圧迫力を掛けるスプリングであり、シュレッダー上蓋底面に、圧迫素子の両側に取り付けることを特徴とする請求項１記載のシュレッダー非常停止スイッチ。
【請求項７】
停止位置に移動したとき、圧迫素子の固定部に備える戻り止めキーは固定台の中央平面区域で係止めることを特徴とする請求項１記載のシュレッダー非常停止スイッチ。
【請求項８】
正回転紙仕込み又は逆回転紙吐き出し位置のとき、圧迫素子の戻り止めキーは固定台の壁面区域に締結することを特徴とする請求項１記載のシュレッダー非常停止スイッチ。
【考案の詳細な説明】
【技術分野】
【０００１】
本考案はシュレッダー、特に一種のシュレッダーの稼働を非常停止させ、損害軽減を図るシュレッダー非常停止スイッチ（Ｅｍｅｒｇｅｎｃｙ  Ｓｔｏｐ ｓｗｔｉｃｈ, ESS）に関わるものである。
【背景技術】
【０００２】
公務上の法関係ファイル、金融関係の領収証、インボイス、クレジットカード番号、研究報告、又はクレジットカードの請求書、電話料金通知書など家族の財務などの資料を不審者に漏洩することを防ぐため、機密性のファイル又は資料をシュレッダーによって寸断する。このため、シュレッダーはビジネス及び家庭生活にとって、欠かせない設備となっている。
【０００３】
通常のシュレッダーの稼動原理は、複数のカッターブレード（ｃｕｔｔｉｎｇ  ｂｌａｄｅｓ）にスペーサ（ｓｐａｃｅｒｓ）と組合せて、回転軸（ｒｏｔａｒｙ  ｓｈａｆｔｓ）に穿設した上、モータと歯車装置（ｍｏｔｏｒ  ａｎｄ  ｇｅａｒ  ｂｏｘ）により、当該２本の平行、かつ、向かい合わせて設ける回転刃軸は通過する紙片に対して、剪断力でもって、細い紙切れ状に寸断する。一方、シュレッダーは寸断方式により、長縞式シュレッダー（ｓｔｒｉｐｅ−ｃｕｔ  ｓｈｒｅｄｄｅｒｓ）と粉砕式シュレッダー（ｃｒｏｓｓ−ｃｕｔ  ｓｈｒｅｄｄｅｒｓ）の２種類に分ける。前者は切り込みカッターブレードを整一に回転刀軸に配列し、紙を縦にして長い片状に寸断する。後者のカッターブレードに一つ以上の鉤状の刃を有し、カッターブレードは回転刀軸において、らせん状に配列することにより、紙片は縦方向に長い片状に裁断した後、横方向にチップ（ｃｈｉｐ）状に粉砕する。
【０００４】
従来のシュレッダーに始動・停止スイッチ（ｏｎ／ｏｆｆ ｓｗｔｉｃｈ）を有し、該スイッチを指で弾けてシュレッダーを正回転（ａｕｔｏ）、停止（ｏｆｆ）及び逆回転（ｒｅｖｅｒｓｅ）三つの稼働モードに切り換えて使用できる。通常は、利用者がいつでも紙片をシュレッダーに挿入寸断できるように紙仕込み（ａｕｔｏ）位置に置く。しかしながら、紙仕込みモードの稼働中に非常状況発生したとき、ただちに稼働を停止し、切り換えスイッチを停止モードに戻さなければならない。ただし、スイッチは停止、紙仕込み、又は紙吐き出し三つの稼働モードが明記されているにも拘らず、非常状況発生したとき気を動転して、スイッチを停止位置に正しく戻すことができない。よって、非常発生時シュレッダーの稼働をただちに停止できないため、人身けがなどの損害はときどき発生する。
【考案の開示】
【考案が解決しようとする課題】
【０００５】
シュレッダーは稼働モードにおいて、シュレッダーをただちに停止させ、損害の軽減を図る一種のシュレッダーを提供することを本考案の主な目的とする。
前記の目的を達成するため、本考案のシュレッダー非常停止スイッチはシュレッダー上蓋に備える溝孔に設ける。切り換え操作の便利を図るため、上蓋表面に露出しておく。さらに、正回転紙仕込み、停止、逆回転紙吐き出し、三つモードのスイッチを有する。圧迫素子はスイッチに取り付ける。シュレッダー上蓋に露出しモード切り換えの制御部を有する。スイッチモード位置の固定部をシュレッダー上蓋底面前記の固定部の向かい合う位置に設ける。固定部に合わせてスイッチモードを決める固定台を設ける。蓄積されエネルギーにより、前記のスイッチを正回転紙仕込みモード又は逆回転紙吐き出しモードから停止モードに移動させる復位部材より構成する。スイッチを正回転の紙仕込みモード、又は逆回転の紙吐き出しモードいずれの位置に置き、圧迫素子のシュレッダー上蓋に露出した制御部は圧下により下方に移動し、圧迫素子の固定部は固定台との常時締結位置を離して、復位部材によりスイッチを停止モードの位置に戻す。
【課題を解決するための手段】
【０００６】
請求項１の考案は、シュレッダー上蓋に開けた溝孔に設け、上蓋表面に露出し切り換えに備える一種のシュレッダー非常停止スイッチにおいて、以下の構成要素より構成する、
スイッチ、正回転紙仕込み、停止、及び逆回転紙吐き出し三つのモードを設ける、
圧迫素子、スイッチに取り付ける、シュレッダー上蓋に露出し、スイッチ位置切り換えるための制御部、及びスイッチ位置を固定する固定部を有する、
固定台、シュレッダー上蓋底面前記の固定部の向かい合う位置に設け、固定部と併せてスイッチの位置を固定する、
復位部材、蓄積されたエネルギーを放出し、前記のスイッチを正回転紙仕込み又は逆回転紙吐き出し位置から停止位置に移動させる、
スイッチを正回転の紙仕込みモード、又は逆回転の紙吐き出しモードいずれの位置に置き、圧迫素子はシュレッダー上蓋に露出した制御部の圧下により下方に移動し、圧迫素子の固定部は固定台との常時締結位置を離れて、復位部材によりスイッチを停止モードの位置に戻すことを特徴とするシュレッダー非常停止スイッチとしている。
請求項２の考案は、該スイッチの正面に固定塊を露出して設ける、ばねにより圧迫素子底部に備える固定孔に装入し、スイッチの切り換え位置と圧迫素子を同期することを特徴とする請求項１記載のシュレッダー非常停止スイッチとしている。
請求項３の考案は、該圧迫素子の制御部は圧迫素子正面に露出したトグルスイッチを用いることを特徴とする請求項１記載のシュレッダー非常停止スイッチとしている。
請求項４の考案は、該圧迫素子の固定部は両側から外部へ同時に延ばすばね板とばね板に設ける戻り止めキーより構成することを特徴とする請求項１記載のシュレッダー非常停止スイッチとしている。
請求項５の考案は、固定台は略したＭ字型を形成し、中央平面区域から平面の両側に傾斜率が次第に増加する傾斜面区域と傾斜面の突き当たり場所より逆方向に折り返して壁面区域を形成することを特徴とする請求項１記載のシュレッダー非常停止スイッチとしている。
請求項６の考案は、該復位部材は圧迫素子に対して、常時に圧迫力を掛けるスプリングであり、シュレッダー上蓋底面に、圧迫素子の両側に取り付けることを特徴とする請求項１記載のシュレッダー非常停止スイッチとしている。
請求項７の考案は、停止位置に移動したとき、圧迫素子の固定部に備える戻り止めキーは固定台の中央平面区域で係止めることを特徴とする請求項１記載のシュレッダー非常停止スイッチとしている。
請求項８の考案は、正回転紙仕込み又は逆回転紙吐き出し位置のとき、圧迫素子の戻り止めキーは固定台の壁面区域に締結することを特徴とする請求項１記載のシュレッダー非常停止スイッチとしている。
【考案の効果】
【０００７】
本考案は、シュレッダー稼働中に非常状態発生したとき、スイッチ切り換え方向を考える必要なく、トグルスイッチを下方に圧下することにより、シュレッダーの稼働はただちに停止し、公知技術のシュレッダー起動スイッチの機能を増強し、シュレッダー全体の安全性を向上できる。
【考案を実施するための最良の形態】
【０００８】
図１と図２は、本考案の異なる視角による各構成部品の構造分解図である。概ねとして、本考案の非常停止スイッチは従来のシュレッダーの起動スイッチと同じく、シュレッダーの上蓋に開けられた溝孔１１に取り付け、上蓋１表面より露出しモード切り替えの便利を提供する。さらに、従来の起動スイッチに圧迫素子２を追加する。スイッチ３中央部に露出した固定塊３１は圧縮ばね４により、圧迫素子２底部中央場所に開けた固定孔２３に装入し、スイッチ３の稼働モード（すなわち、紙仕込みモードと紙吐き出しモード）と停止モード間の切り替えは、圧迫素子２の移動により実現する。圧迫素子２正面の上方の突起状円柱体のトグルスイッチ２１は上蓋１に備える溝孔１１を通した後、化粧蓋板（ｃａｐ）５と併せてシュレッダー上蓋に結合する。圧迫素子２両側の中央場所より外側にV形ばね板２２を設け、ばね板２２の中央場所に戻り止めキー２２１を設ける。図２に示す通り、圧迫素子２の所在位置に合わせて、シュレッダー上蓋１底面の圧迫素子２両側に捩りばね６を設け、圧迫素子２を常時に圧迫しておく。
【０００９】
図３に示す通り、シュレッダー上蓋１底面に備える溝孔１１の両側は圧迫素子２の所在位置に合わせて固定台１２を設け、該固定台１２の中央部に平面１２１区域を設け、平面１２１の両側は傾斜度が次第に増加する傾斜面１２２を設け、傾斜面１２２の突き当たり場所は逆方向に屈折して壁面１２３を形成し、おおむねＭ字型を形成する。
【００１０】
スイッチ３は図３に示す通り停止（ｏｆｆ）モードに置き、圧迫素子２両側のばね板２２の戻り止めキー２２１により、Ｍ字型固定台１２の平面１２１に係止めて、圧迫素子２２両側は捩りばね６の圧迫力を受ける。一方、トグルスイッチ２１により圧迫素子２を矢印Ｐ方向に移動すると、スイッチ３は正回転（ａｕｔｏ）紙仕込み（ａｕｔｏ）モード又逆回転（ｒｅｖｅｒｓｅ）紙吐き出しモードに切り換えられる。引き続き図４を参照する。このとき、戻り止めキー２１はＭ字型固定台１２の傾斜面１２２に移動し、戻り止めキー２２１が所在するばね板２２の傾斜度が次第に増加し、圧迫は引き続き受ける。戻り止めキー２２１は傾斜面１２２の区域からＭ字型固定台１２の壁面１２３に移動したとき、ばね板２２は戻り止めキー２２１を離れて壁面１２３に締結することにより、スイッチ３をそのモードに固定し、紙仕込み又は紙吐き出しの実行に備える。特に、前記のスイッチ３を切り換えるとき、スイッチ３の移動に従い、圧迫素子２によって常時に圧迫された捩りばね６の圧力は引き続き増加し、スイッチ３を停止（ｏｆｆ）位置に戻す力量を蓄積する。
【００１１】
非常事態発生しただちに稼働を停止するとき、指または手のひらをシュレッダー上蓋に備えるトグルスイッチ２１を押すことにより、圧迫素子２は圧力を受けて下方に移動し、図５の矢印方向Ｆに示す通り、圧迫素子２は圧迫を受けて下方に移動して、戻り止めキー２２１を壁面１２３に締結された位置を離して、前記の捩りばね６の回復力量により、スイッチ３を停止（ｏｆｆ）モードに移動する。すなわち、図３に示す戻り止めキー２２１は固定台１２平面１２１の位置に戻る。このとき、シュレッダーの稼働は停止となり、けがの発生又はけがを最小限に抑止する。
【図面の簡単な説明】
【００１２】
【図１】本考案第１視角による各構成部品の構造分解図である。
【図２】本考案第２視角による各構成部品の構造分解図である。
【図３】本考案の停止モードにおける各構成部品の関係位置図である。
【図４】本考案の運転モードにおける各構成部品の関係位置図である。
【図５】本考案のトグルスイッチを圧下したとき、各構成部品の関係位置図である。
【符号の説明】
【００１３】
１  シュレッダー上蓋
１１  溝孔
１２  固定台
１２１  平面
１２２  傾斜面
１２３  壁面
２  圧迫素子
２１  トグルスイッチ
２２  ばね板
２２１  戻り止めキー
２３  固定孔
３  スイッチ
３１  固定塊
４  ばね
５  蓋板
６  捩じりばね
【図１】
0003130995.tif 000003
【図２】
0003130995.tif 000004
【図３】
0003130995.tif 000005
【図４】
0003130995.tif 000006
【図５】
0003130995.tif 000007
【手続補正書】
【提出日】平成19年2月5日(2007.2.5)
【手続補正１】
【補正対象書類名】実用新案登録請求の範囲
【補正対象項目名】全文
【補正方法】変更
【補正の内容】
【実用新案登録請求の範囲】
【請求項１】
シュレッダー上蓋に開けた溝孔に設け、上蓋表面に露出し切り換えに備える一種のシュレッダー非常停止スイッチにおいて、スイッチ、圧迫素子、固定台及び復位部材より構成され、
該スイッチは正回転紙仕込み、停止、及び逆回転紙吐き出しの三つのモードを具え、
該圧迫素子はスイッチに取り付け、シュレッダー上蓋に露出し、スイッチ位置を切り換えるための制御部、及びスイッチ位置を固定する固定部を有し、
該固定台はシュレッダー上蓋底面前記の固定部の向かい合う位置に設け、固定部と併せてスイッチの位置を固定し、
該復位部材は蓄積されたエネルギーを放出し、前記のスイッチを正回転紙仕込み又は逆回転紙吐き出し位置から停止位置に移動させ、
スイッチを正回転の紙仕込みモード、又は逆回転の紙吐き出しモードいずれの位置に置き、該圧迫素子はシュレッダー上蓋に露出した制御部の圧下により下方に移動し、圧迫素子の固定部は該固定台との常時締結位置を離れて、復位部材によりスイッチを停止モードの位置に戻すことを特徴とするシュレッダー非常停止スイッチ。
【請求項２】
該スイッチの正面に固定塊を露出して設け、該固定塊はばねにより上記圧迫素子底部に備える固定孔に装入し、スイッチの位置切り換え動作と圧迫素子を同期することを特徴とする請求項１記載のシュレッダー非常停止スイッチ。
【請求項３】
該圧迫素子の制御部は圧迫素子正面に露出したトグルスイッチを用いることを特徴とする請求項１記載のシュレッダー非常停止スイッチ。
【請求項４】
該圧迫素子の固定部は両側から外部へ同時に延ばすばね板とばね板に設ける戻り止めキーより構成することを特徴とする請求項１記載のシュレッダー非常停止スイッチ。
【請求項５】
固定台は略したＭ字型を形成し、中央平面区域から平面の両側に傾斜率が次第に増加する傾斜面区域と傾斜面の突き当たり場所より逆方向に折り返して壁面区域を形成することを特徴とする請求項１記載のシュレッダー非常停止スイッチ。
【請求項６】
該復位部材は圧迫素子に対して、常時に圧迫力を掛けるスプリングであり、シュレッダー上蓋底面に、圧迫素子の両側に取り付けることを特徴とする請求項１記載のシュレッダー非常停止スイッチ。
【請求項７】
停止位置に移動したとき、圧迫素子の固定部に備える戻り止めキーは固定台の中央平面区域で係止めることを特徴とする請求項１記載のシュレッダー非常停止スイッチ。
【請求項８】
正回転紙仕込み又は逆回転紙吐き出し位置のとき、圧迫素子の戻り止めキーは固定台の壁面区域に締結することを特徴とする請求項１記載のシュレッダー非常停止スイッチ。
【手続補正２】
【補正対象書類名】明細書
【補正対象項目名】０００６
【補正方法】変更
【補正の内容】
【０００６】
請求項１の考案は、シュレッダー上蓋に開けた溝孔に設け、上蓋表面に露出し切り換えに備える一種のシュレッダー非常停止スイッチにおいて、スイッチ、圧迫素子、固定台及び復位部材より構成され、
該スイッチは正回転紙仕込み、停止、及び逆回転紙吐き出しの三つのモードを具え、
該圧迫素子はスイッチに取り付け、シュレッダー上蓋に露出し、スイッチ位置を切り換えるための制御部、及びスイッチ位置を固定する固定部を有し、
該固定台はシュレッダー上蓋底面前記の固定部の向かい合う位置に設け、固定部と併せてスイッチの位置を固定し、
該復位部材は蓄積されたエネルギーを放出し、前記のスイッチを正回転紙仕込み又は逆回転紙吐き出し位置から停止位置に移動させ、
スイッチを正回転の紙仕込みモード、又は逆回転の紙吐き出しモードいずれの位置に置き、該圧迫素子はシュレッダー上蓋に露出した制御部の圧下により下方に移動し、圧迫素子の固定部は該固定台との常時締結位置を離れて、復位部材によりスイッチを停止モードの位置に戻すことを特徴とするシュレッダー非常停止スイッチとしている。
請求項２の考案は、該スイッチの正面に固定塊を露出して設け、該固定塊はばねにより上記圧迫素子底部に備える固定孔に装入し、スイッチの位置切り換え動作と圧迫素子を同期することを特徴とする請求項１記載のシュレッダー非常停止スイッチとしている。
請求項３の考案は、該圧迫素子の制御部は圧迫素子正面に露出したトグルスイッチを用いることを特徴とする請求項１記載のシュレッダー非常停止スイッチとしている。
請求項４の考案は、該圧迫素子の固定部は両側から外部へ同時に延ばすばね板とばね板に設ける戻り止めキーより構成することを特徴とする請求項１記載のシュレッダー非常停止スイッチとしている。
請求項５の考案は、固定台は略したＭ字型を形成し、中央平面区域から平面の両側に傾斜率が次第に増加する傾斜面区域と傾斜面の突き当たり場所より逆方向に折り返して壁面区域を形成することを特徴とする請求項１記載のシュレッダー非常停止スイッチとしている。
請求項６の考案は、該復位部材は圧迫素子に対して、常時に圧迫力を掛けるスプリングであり、シュレッダー上蓋底面に、圧迫素子の両側に取り付けることを特徴とする請求項１記載のシュレッダー非常停止スイッチとしている。
請求項７の考案は、停止位置に移動したとき、圧迫素子の固定部に備える戻り止めキーは固定台の中央平面区域で係止めることを特徴とする請求項１記載のシュレッダー非常停止スイッチとしている。
請求項８の考案は、正回転紙仕込み又は逆回転紙吐き出し位置のとき、圧迫素子の戻り止めキーは固定台の壁面区域に締結することを特徴とする請求項１記載のシュレッダー非常停止スイッチとしている。